(57)【特許請求の範囲】
【請求項１】
番組を特定するための番組特定情報と、前記番組の実データを可搬型記録媒体に記録させたか否かを示す転送有無情報とを少なくとも含むライブラリ管理情報を記録する記録部と、
番組の実データを可搬型記録媒体に記録させる制御手段と、
番組の実データが可搬型記録媒体に記録されると、その実データに対応する前記ライブラリ管理情報における前記転送有無情報を更新する更新手段と、
実データを可搬型記録媒体に記録させたか否かを判別可能に、前記番組特定情報を表示部に表示させる処理と、前記ライブラリ管理情報に基づいて特定可能な一の番組を再生することを指示する操作入力があった場合において、その指示された番組を前記記録部から再生できないときは、可搬型記録媒体からデータを取得して前記指示された番組を再生させるためのメッセージを表示部に表示させる処理とを実行する表示制御手段と
を備えることを特徴とする情報記録再生装置。
【請求項２】
前記制御手段は、前記表示制御手段によって前記メッセージを表示部に表示させた場合において可搬型記録媒体が装着されると、その可搬型記録媒体に記録されている実データを再生することを特徴とする請求項１記載の情報記録再生装置。
【請求項３】
前記制御手段は、前記表示制御手段によって前記メッセージを表示部に表示させた場合において可搬型記録媒体が装着されると、実データを可搬型記録媒体から前記記録部へと転送して、前記記録部から再生することを特徴とする請求項１記載の情報記録再生装置。
【請求項４】
前記ライブラリ管理情報は、実データが前記記録部に記録されているか否かを示す実データ有無情報を含み、
前記更新手段は、実データが前記記録部から削除されると、その実データに対応する前記ライブラリ管理情報における前記実データ有無情報を更新することを特徴とする請求項１〜３のいずれか１項に記載の情報記録再生装置。
【請求項５】
前記表示制御手段は、前記実データ有無情報に基づいて、指示された番組を前記記録部から再生できるか否かを判断することを特徴とする請求項４記載の情報記録再生装置。
【請求項６】
前記番組特定情報は、番組名に関する情報、及び、番組のサムネイル画像に関する情報のうちの少なくとも一方であることを特徴とする請求項１〜５のいずれか１項に記載の情報記録再生装置。
【請求項７】
番組を特定するための番組特定情報と、前記番組の実データを可搬型記録媒体に記録させたか否かを示す転送有無情報とを少なくとも含むライブラリ管理情報を記録部に記録する記録ステップと、
番組の実データを可搬型記録媒体に記録させる制御ステップと、
番組の実データが可搬型記録媒体に記録されると、その実データに対応する前記ライブラリ管理情報における前記転送有無情報を更新する更新ステップと、
実データを可搬型記録媒体に記録させたか否かを判別可能に、前記番組特定情報を表示部に表示させるステップと、
前記ライブラリ管理情報に基づいて特定可能な一の番組を再生することを指示する操作入力があった場合において、その指示された番組を前記記録部から再生できないときは、可搬型記録媒体からデータを取得して前記指示された番組を再生させるためのメッセージを表示部に表示させる表示制御ステップと
を有することを特徴とする情報記録再生方法。
【請求項８】
番組を特定するための番組特定情報と、前記番組の実データを可搬型記録媒体に記録させたか否かを示す転送有無情報とを少なくとも含むライブラリ管理情報を記録部に記録する記録手段、
番組の実データを可搬型記録媒体に記録させる制御手段、
番組の実データが可搬型記録媒体に記録されると、その実データに対応する前記ライブラリ管理情報における前記転送有無情報を更新する更新手段、
実データを可搬型記録媒体に記録させたか否かを判別可能に、前記番組特定情報を表示部に表示させる処理と、前記ライブラリ管理情報に基づいて特定可能な一の番組を再生することを指示する操作入力があった場合において、その指示された番組を前記記録部から再生できないときは、可搬型記録媒体からデータを取得して前記指示された番組を再生させるためのメッセージを表示部に表示させる処理とを実行する表示制御手段、
として情報記録再生装置のコンピュータを機能させることを特徴とするプログラム。
【発明の詳細な説明】
【技術分野】
【０００１】
本発明は、情報記録再生装置、情報記録再生方法、及びプログラムに関する。
【背景技術】
【０００２】
近年、例えば、特許文献１の特開２００５−３４８３５６号公報「情報記録再生装置」にも記載されているように、ＨＤＤ(Hard Disk Drive)付きＤＶＤレコーダ(以下、ＨＤＤ  ＤＶＤレコーダと表記)が登場したことにより、ＶＴＲテープメディアなどにテレビ番組をアナログ情報のまま順次録画するようなこれまでの録画再生方法に変化が生じてきており、まず、ＨＤＤ  ＤＶＤレコーダのＨＤＤにテレビ番組をデジタル変換して録り溜めていき、保存版として今後とも残しておきたいテレビ番組だけを選択してＣＭカットなどの編集を行って、記録型ＤＶＤメディアに保存するといった使用方法が定着してきた。
【０００３】
この背景には、何百時間にも及ぶ大量のテレビ番組を一時的に記録することができるだけの容量を有する大容量ストレージＨＤＤの開発やＤＶＤ−Ｒ、ＤＶＤ−ＲＷ、ＤＶＤ−ＲＡＭといった記録型光メディアの普及に伴う低価格化などが挙げられる。
【０００４】
また、ＨＤＤ  ＤＶＤレコーダの機能として、ＧＵＩ（Graphical User Interface）による分かり易い操作方法の実装、電子番組表(ＥＰＧ)の取り込み、さらには、複数チューナを内蔵した複数番組の同時録画機能の実現など、ＨＤＤ  ＤＶＤレコーダのソフトウェア面の改良・改善も無視できない。
この結果、ＨＤＤ  ＤＶＤレコーダは、大変便利になり、ユーザは、ＥＰＧのキーワード検索による自動録画機能や２番組同時録画機能などを使いこなし、これまで見ることができなかった裏番組も次々と録画できるようになった。
【先行技術文献】
【特許文献】
【０００５】
【特許文献１】特開２００５−３４８３５６号公報（第７−９頁）
【発明の概要】
【発明が解決しようとする課題】
【０００６】
しかしながら、最初は、無尽蔵と思えるＨＤＤ  ＤＶＤレコーダの大容量ＨＤＤも、日が経つにつれて、録画されたテレビ番組（タイトル）で一杯になって、保存内容をＨＤＤ内で多少整理したとしても、直ちに一杯になる状態が繰り返し発生してしまう状況に陥る。また、ＨＤＤは、その構造上、ヘッドクラッシュなどにより物理的に壊れてしまうこともあって、大量の記録内容を長時間に亘って保持するには不向きなメディアである。このため、ユーザは、必要に応じて、ＨＤＤ内のタイトルをバックアップするために記録型ＤＶＤメディアに移すことが必要であった。
【０００７】
しかしながら、ＤＶＤ作成は一般的に手順が多く、複雑かつ面倒である。この煩雑さのため、ＨＤＤの記録内容を記録型ＤＶＤメディアに移すＤＶＤ作成作業を怠ると、ＨＤＤ上に録り溜めておいた未整理かつ未視聴のタイトル(テレビ番組)を、視聴しないまま、新しいタイトルを録画するためのＨＤＤ空き容量を確保するために、消去しなくてはならないような状況も、日常、頻繁に発生していた。
【０００８】
ここで、一般的なＨＤＤ  ＤＶＤレコーダでＤＶＤ−Ｖｉｄｅｏ形式のＤＶＤメディア（ＤＶＤディスク）を作成する場合を例にとってそのＤＶＤ作成手順の一例を列挙すると、次の通りであり、非常に煩雑な手順となっている。
（１）記録に用いる記録型ＤＶＤメディア(ＤＶＤ−Ｒ、ＤＶＤ−ＲＷなど)を選んで、ＨＤＤ  ＤＶＤレコーダのドライブにセットする。
（２）記録型ＤＶＤメディアに転送するＨＤＤ上のタイトルを選択する。
（３）必要に応じて、当該タイトルのチャプタ位置を指定する。
（４）必要に応じて、当該タイトルの不要部分（例えばＣＭなど）を削除する。
（５）必要に応じて、プレイリストなどを作成する。
（６）必要に応じて、記録レート変換処理などにより、記録容量の調整を設定する。
（７）必要に応じて、タイトル等に名前を付ける。
（８）ＤＶＤ−Ｖｉｄｅｏ形式のＤＶＤ作成モードに入る
（９）ＤＶＤ−Ｖｉｄｅｏメニュー作成／非作成を選択する。
（１０）ＤＶＤメディアへの書き込み開始を指示する。
（１１）ＤＶＤメディアへの書き込み終了後、不要になったＨＤＤ上のタイトルを必要に応じて削除する。
【０００９】
以上のように作成手順が煩雑なため、ＨＤＤ  ＤＶＤレコーダのハードウェアメーカは、ＤＶＤ作成に関する取り扱い説明書の記載を詳しくしたり、ウィザード形式によるＤＶＤ作成方法を採用するなどの各種サポート機構を用いて、より簡単にＤＶＤ作成を行うことができるように各種工夫を凝らしている。
【００１０】
しかし、ＨＤＤ  ＤＶＤレコーダを初めて購入したユーザや、ＤＶＤ作成に不慣れなユーザや、子供が操作するような場合、また、とにかく時間が無いユーザ等にとっては、手間のかかるＤＶＤ作成作業は、やはり面倒であり、ＤＶＤ作成に取り掛かることが躊躇される事態を回避することができない状況にあった。
【００１１】
そこで、本発明は、可搬型記録媒体例えばＤＶＤメディアの作成を、初心者など、ＨＤＤ  ＤＶＤレコーダなどの情報記録再生装置の操作に慣れないユーザや、録画機器やＤＶＤドライブなどの可搬型記録媒体ドライブ全般に関しての知識に乏しいユーザであっても、ＨＤＤ上のタイトルを簡単に可搬型記録媒体例えばＤＶＤメディアに転送することができ、かつ、簡単に再生することができる情報記録再生装置、情報記録再生方法、及びプログラムを提供することを目的としている。
【課題を解決するための手段】
【００１２】
前述の課題を解決するため、本発明による情報記録再生装置、情報記録再生方法、及びプログラムは、次のような特徴的な構成を採用している。
【００１３】
番組を特定するための番組特定情報と、前記番組の実データを可搬型記録媒体に記録させたか否かを示す転送有無情報とを少なくとも含むライブラリ管理情報を記録する記録部と、番組の実データを可搬型記録媒体に記録させる制御手段と、番組の実データが可搬型記録媒体に記録されると、その実データに対応する前記ライブラリ管理情報における前記転送有無情報を更新する更新手段と、実データを可搬型記録媒体に記録させたか否かを判別可能に、前記番組特定情報を表示部に表示させる処理と、前記ライブラリ管理情報に基づいて特定可能な一の番組を再生することを指示する操作入力があった場合において、その指示された番組を前記記録部から再生できないときは、可搬型記録媒体からデータを取得して前記指示された番組を再生させるためのメッセージを表示部に表示させる処理とを実行する表示制御手段とを備えることを特徴とする情報記録再生装置。
番組を特定するための番組特定情報と、前記番組の実データを可搬型記録媒体に記録させたか否かを示す転送有無情報とを少なくとも含むライブラリ管理情報を記録部に記録する記録ステップと、番組の実データを可搬型記録媒体に記録させる制御ステップと、番組の実データが可搬型記録媒体に記録されると、その実データに対応する前記ライブラリ管理情報における前記転送有無情報を更新する更新ステップと、実データを可搬型記録媒体に記録させたか否かを判別可能に、前記番組特定情報を表示部に表示させるステップと、前記ライブラリ管理情報に基づいて特定可能な一の番組を再生することを指示する操作入力があった場合において、その指示された番組を前記記録部から再生できないときは、可搬型記録媒体からデータを取得して前記指示された番組を再生させるためのメッセージを表示部に表示させる表示制御ステップとを有することを特徴とする情報記録再生方法。
番組を特定するための番組特定情報と、前記番組の実データを可搬型記録媒体に記録させたか否かを示す転送有無情報とを少なくとも含むライブラリ管理情報を記録部に記録する記録手段、番組の実データを可搬型記録媒体に記録させる制御手段、番組の実データが可搬型記録媒体に記録されると、その実データに対応する前記ライブラリ管理情報における前記転送有無情報を更新する更新手段、実データを可搬型記録媒体に記録させたか否かを判別可能に、前記番組特定情報を表示部に表示させる処理と、前記ライブラリ管理情報に基づいて特定可能な一の番組を再生することを指示する操作入力があった場合において、その指示された番組を前記記録部から再生できないときは、可搬型記録媒体からデータを取得して前記指示された番組を再生させるためのメッセージを表示部に表示させる処理とを実行する表示制御手段、として情報記録再生装置のコンピュータを機能させることを特徴とするプログラム。
【発明の効果】
【００１４】
本発明の情報記録再生装置、情報記録再生方法、及びプログラムによれば、ＨＤＤに記録したタイトル（テレビ番組）に関する属性情報をライブラリ管理情報として保存し、ＨＤＤに記録したタイトルを可搬型記録媒体例えばＤＶＤメディアに転送する際に、該ライブラリ管理情報の保存内容に基づいて、ＤＶＤ規格による制限から、ＤＶＤ−Ｖｉｄｅｏ形式ではＤＶＤメディアに記録することができないと判断した場合は、自動的に、ＤＶＤ−ＶＲ形式を用いて、ＤＶＤメディアへの書き込みを行うようにしているので、ＨＤＤに記録されたタイトルをＤＶＤメディアに極めて気楽かつ確実に転送することができる。また、ＤＶＤ形式や、ＤＶＤ−Ｖｉｄｅｏ、ＤＶＤ−ＶＲの記録方式をユーザは意識せずに、ＤＶＤ作成を行うことが可能である。
【００１５】
さらに、１枚の可搬型記録媒体例えばＤＶＤメディアに収まらないような長時間の番組をＤＶＤメディアに残したい場合であっても、前記ライブラリ管理情報の保存内容に基づいて、必要なＤＶＤメディア枚数を自動的に算出するとともに、ユーザによる複雑な選択操作や手順を介することなく、容易に複数枚のＤＶＤメディアにＨＤＤ上のタイトル（番組）を転送することができる。
【００１６】
さらに、ＨＤＤ上のタイトル（テレビ番組）を消去しても、可搬型記録媒体例えばＤＶＤメディアにバックアップ済みのタイトルについては、ＨＤＤ上から削除していないタイトルの場合と同様のサムネイル表示をすることができ、あたかも消去していないかのように一覧表示して、その記録内容を確認することができる。さらに、ＤＶＤやＨＤＤへの記録状態をアイコン表示することもできるので、ユーザは、各タイトルの記録状態も容易に確認することができる。
【００１７】
さらには、可搬型記録媒体例えばＤＶＤメディアにバックアップしたタイトルのデータを、たとえ、複数枚のＤＶＤメディアに及んでいる場合であっても、複雑な操作無しに、ＨＤＤに書き戻すことができ、簡単に再生することが可能である。
【図面の簡単な説明】
【００１８】
【図１】本発明による情報記録再生装置の一例であるＨＤＤ  ＤＶＤレコーダの概略ブロック構成例を示すブロック構成図である。
【図２】本発明による情報記録再生装置の一例であるＨＤＤ  ＤＶＤレコーダにおけるタイトルサムネイル表示の一例を示す模式図である。
【図３】本発明による情報記録再生装置の一例であるＨＤＤ  ＤＶＤレコーダにおいてＨＤＤ内に格納されるライブラリ管理情報の一例を示すテーブルである。
【図４】本発明の一例であるＨＤＤ  ＤＶＤレコーダにおけるＤＶＤメディアへのタイトルのバックアップ動作の一例を説明するためのフローチャートである。
【図５】本発明の一例であるＨＤＤ  ＤＶＤレコーダにおけるＨＤＤからＤＶＤメディアへのタイトルの転送書き込み動作の一例を説明するためのフローチャートである。
【図６】本発明の一例であるＨＤＤ  ＤＶＤレコーダにおけるＨＤＤの空き容量を確保する動作の一例を説明するためのフローチャートである。
【図７】本発明の一例であるＨＤＤ  ＤＶＤレコーダにおけるタイトルの分割概念を説明するための説明図である。
【図８】本発明による情報記録再生装置の一例であるＨＤＤ  ＤＶＤレコーダにおいてＨＤＤ内に格納されるライブラリ管理情報の更新後の一例を示すテーブルである。
【図９】本発明の一例であるＨＤＤ  ＤＶＤレコーダにおいてＨＤＤのタイトル編集動作例として任意に指定したタイトルをＨＤＤから削除する動作の一例を説明するためのフローチャートである。
【図１０】本発明による情報記録再生装置の一例であるＨＤＤ  ＤＶＤレコーダにおいてＨＤＤ内に格納されるライブラリ管理情報の更新後の図８とは異なる例を示すテーブルである。
【図１１】本発明による情報記録再生装置の一例であるＨＤＤ  ＤＶＤレコーダにおいてＨＤＤおよびＤＶＤメディアに記録されている各タイトルの現在の記録状況を画面表示する一例を示す表示画面である。
【図１２】本発明の一例であるＨＤＤ  ＤＶＤレコーダにおけるタイトルの再生動作の一例を説明するためのフローチャートである。
【図１３】本発明による情報記録再生装置の一例であるＨＤＤ  ＤＶＤレコーダの概略ブロック構成の図１とは異なる例を示すブロック構成図である。
【発明を実施するための形態】
【００１９】
以下、本発明による情報記録再生装置および情報記録再生方法の好適実施形態例について添付図を参照して説明する。
【００２０】
（本発明のポイント）
本発明の具体的な実施例の説明に先立って、まず、本発明による情報記録再生装置および情報記録再生方法の主要な特徴について説明する。本発明による情報記録再生装置および情報記録再生方法は、可搬型記録媒体例えばＤＶＤメディアの作成を、初心者など、ＨＤＤ  ＤＶＤレコーダの操作に慣れないユーザや、録画機器やＤＶＤ全般に関しての知識に乏しいユーザであっても、ＨＤＤ上のタイトルを簡単にＤＶＤメディアに転送して記録することができるようにすることを特徴としており、そのための機構として、おおよそ次の点を備えている。
（１）ＤＶＤメディアに或るタイトルをバックアップしてＨＤＤ上のタイトルを削除する際に、バックアップしたタイトルについて、その全てのデータを消去せずに、そのタイトルを特定するための情報（属性情報）をＨＤＤ上に残すことにする。
（２）ＨＤＤ上に記録したタイトルを一覧表示する場合、ＤＶＤメディアにバックアップしたタイトルについても、同様に扱って、サムネイル表示等を行うとともに、さらにアイコン等を付加して、ＤＶＤメディアへのバックアップ状態に関する情報をも合わせて表示する。
（３）ファイルサイズが大きく１枚のＤＶＤメディアに収まらないようなタイトルについては、ＤＶＤ作成の際に、複数枚のＤＶＤメディアヘ自動的にデータ分割して書き込みを行う。
（４）ＤＶＤ−ＶＲ形式、ＤＶＤ−Ｖｉｄｅｏ形式のいずれかのＤＶＤ記録形式に関する設定を、人手を介して行うことなく、記録するタイトルの解像度などの属性に応じて、自動的に選択して行うことにより、ＤＶＤ作成を実施する。
（５）ＤＶＤドライブに挿入されたＤＶＤメディアをＨＤＤ上のデータのように扱って再生することができる。
【００２１】
図１は、本発明による情報記録再生装置の一例であるＨＤＤ  ＤＶＤレコーダの概略ブロック構成例を示すブロック構成図である。図１に示すように、ＨＤＤ  ＤＶＤレコーダ１００は、アンテナ１１、テレビチューナ１２、ビデオＡＤコンバータ１３、操作部１４、システムＬＳＩ１５、表示部１６、オーディオＤＡコンバータ１７、ビデオエンコーダ１８、ＤＶＤドライブ１９、ＨＤＤ２０を少なくとも含んで構成されている。なお、図１に示すＨＤＤ  ＤＶＤレコーダ１００においては、可搬型記録媒体としてＤＶＤメディア、該可搬型記録媒体に情報を読み書きする可搬型記録媒体ドライブとしてＤＶＤドライブ１９を用いる場合を例示して説明するが、本発明による情報記録再生装置はかかる場合に限るものではない。例えば、可搬型記録媒体は、ＤＶＤメディアのみに限ることなく、ＳＤカードやメモリスティックやＢｌｕ−ｒａｙ  ＤｉｓｋやＣＤなどのメモリを用いても構わないし、かかる場合には、可搬型記録媒体ドライブも、それぞれのメモリに対応して情報の読み書きが可能なドライブとして構成すれば良い。また、可搬型記録媒体ドライブについても、内蔵型に限るものではなく、外付けのドライブであっても良い。かかる場合は、外付けの可搬型記録媒体ドライブを接続可能な外部接続インタフェースを備えて、例えばＤＶＤドライブの場合、内蔵のＤＶＤドライブ１９の代わりに、外付けのＤＶＤドライブを外部接続インタフェースに接続するように構成すれば良い。
図１のＨＤＤ  ＤＶＤレコーダ１００において、アンテナ１１は、テレビ放送を受信するためのものであり、テレビチューナ１２は、アンテナ１１で受信したテレビ放送の中から指定されたチャンネルを選択して受信するためのものであり、ビデオＡＤコンバータ１３は、テレビチューナ１２で選択したチャンネルの映像をＡＤ変換してデジタル信号形式にするものである。
【００２２】
また、操作部１４は、ユーザが録画するテレビ番組（タイトル）を選択したり、ＨＤＤ２０などに記録しているテレビ番組の中から再生する番組を選択したり、ＤＶＤメディアへのバックアップの動作を選択したりするものであり、ユーザからの指示を入力するための操作ボタンやマウスなどからなっている。システムＬＳＩ１５は、ＣＰＵ１５ａ、ＭＰＥＧエンコーダ・ＭＰＥＧデコーダ１５ｂ、ＡＴＡＰＩインタフェース１５ｃなどを内蔵している制御用チップであり、ＨＤＤ  ＤＶＤレコーダ１００全体の動作を制御する。
【００２３】
また、表示部１６は、ユーザに通知する各種メッセージを画面表示したり、テレビ番組（タイトル）の映像を再生表示するテレビ画面であり、表示管ドライバ＆表示管や液晶パネルやプラズマパネルなどからなっている。オーディオＤＡコンバータ１７は、音声情報をＤＡ変換してアナログ信号を生成するものであり、ビデオエンコーダ１８は、映像信号を指定された符号化形式に符号化するためのものであり、ＤＶＤドライブ１９は、ＨＤＤ２０に記録したテレビ番組（タイトル）を記録型ＤＶＤメディアへ記録したり、記録型ＤＶＤメディアからテレビ番組（タイトル）をＨＤＤ２０や表示部１６に読み出すためのものであり、ＨＤＤ２０は、テレビ番組（タイトル）を記録するためのものである。
【００２４】
ここで、図１のＨＤＤ  ＤＶＤレコーダ１００では、ＨＤＤ２０に記録したテレビ番組を、「タイトル」として、連番管理しており、ＨＤＤ２０に記録された各タイトルに関する情報を、表示部１６のテレビ画面上へのサムネイル表示などの縮小画像表示手段によって、ユーザが、確実に、かつ、より容易にタイトル選択などの操作ができるようになっている。図２は、本発明による情報記録再生装置の一例であるＨＤＤ  ＤＶＤレコーダ１００におけるタイトルサムネイル表示の一例を示す模式図であり、ＨＤＤ２０に記録されているタイトル１０１からタイトル１０６までの各タイトルごとに、その内容を示す代表的な画像を、縮小画像（タイトルサムネイル）として一覧表示している例を示している。
【００２５】
さらに、図１のＨＤＤ  ＤＶＤレコーダ１００では、録画時にＥＰＧ情報を利用することなどによって、タイトルに番組名に相当する名前を付したり、当該タイトルに関する番組情報を記録することなども可能であり、ユーザは、これらの情報を参照したり、また、記録したこれらの情報を変更することも可能である。これらの番組名に関する情報や番組情報などは、主に、ＨＤＤ２０内に、ライブラリ管理情報として格納されている。図３は、本発明による情報記録再生装置の一例であるＨＤＤ  ＤＶＤレコーダ１００においてＨＤＤ２０内に格納されるライブラリ管理情報の一例を示すテーブルであり、ＨＤＤ  ＤＶＤレコーダ１００がＨＤＤ２０内やＤＶＤメディアに記録する各タイトルに関する各種情報の一例を分かり易く示している。
【００２６】
図３に示すように、ライブラリ管理情報５０は、タイトル番号５１、記録日時５２、タイトル名５３、記録元チャンネル５４、記録時間５５、音声形式５６、解像度５７、フレーム単位の編集の有無５８、視聴回数５９、などを少なくとも含んで構成される。ここに、タイトル番号５１は、ＨＤＤ２０に記録した各タイトルをユニークに識別可能な番号として連番管理されているものであり、タイトル名５３は、各タイトルの内容を容易に認識可能なように任意に付与された番組名に相当する名前であり、記録元チャンネル５４、記録日時５２、記録時間５５は、それぞれ、当該タイトルの記録元になったテレビ放送のチャンネル、記録を開始した日時、記録した時間を示すものである。
【００２７】
また、音声形式５６は、記録したタイトルの音声情報がstereo形式かdual形式かを識別する情報であり、解像度５７は、１フレーム当たりの７２０ドット×４８０ドット、４８０ドット×４８０ドットなどの画像の解像度を示す情報であり、フレーム単位の編集の有無５８は、フレーム単位の加工がなされたか否かを示す情報である。また、視聴回数５９は、ＨＤＤ２０に記録したタイトルを再生して表示部１６に表示した回数を示す情報である。
【００２８】
以下に、図１のＨＤＤ  ＤＶＤレコーダ１００におけるＨＤＤ２０上に記録したタイトルをＤＶＤドライブ１９に装着したＤＶＤメディアに簡単に転送して記録する方法の一例について図４から図６に示すフローチャートを参照しながら説明する。ここに、図４は、本発明の一例であるＨＤＤ  ＤＶＤレコーダ１００におけるＤＶＤメディアへのタイトルのバックアップ動作の一例を説明するためのフローチャートであり、本発明によるバックアップ用ＤＶＤ作成手順の一例を示している。また、図５は、本発明の一例であるＨＤＤ  ＤＶＤレコーダ１００におけるＨＤＤ２０からＤＶＤメディアへのタイトルの転送書き込み動作の一例を説明するためのフローチャートであり、図６は、本発明の一例であるＨＤＤ  ＤＶＤレコーダ１００におけるＨＤＤ２０の空き容量を確保する動作の一例を説明するためのフローチャートである。
【００２９】
まず、図４のバックアップ用ＤＶＤ作成フローチャート例について説明する。図４のフローチャートに示すように、まず、作成すべきＤＶＤメディア（ＤＶＤディスク）の枚数を問い合わせるメッセージを表示部１６に画面表示して、ユーザに問い合わせ（ステップＳ１）、ユーザからのＤＶＤ枚数の選択がなされるまで待ち合わせる（ステップＳ２のＮｏ）。ユーザのＤＶＤ枚数の選択が操作部１４の操作によりなされると（ステップＳ２のＹｅｓ）、次に、記録可能なＤＶＤメディアが、ＤＶＤドライブ１９に装着されたか否かをチェックする（ステップＳ３）。
【００３０】
記録可能なＤＶＤメディアがＤＶＤドライブ１９に装着されていない場合は（ステップＳ３のＮｏ）、記録可能なＤＶＤメディア（ＤＶＤディスク）の装着要求メッセージを表示部１６に表示した後（ステップＳ１１）、ステップＳ３に復帰し、再度、記録可能なＤＶＤメディアがＤＶＤドライブ１９に装着されたか否かをチェックし直す。
【００３１】
記録可能なＤＶＤメディアがＤＶＤドライブ１９に装着された場合（ステップＳ３のＹｅｓ）、ＨＤＤ２０内に格納されている図３のようなライブラリ管理情報５０の視聴回数５９などを参照して、ＨＤＤ２０内に記録されているタイトルの中から頻繁には視聴されていないタイトルを、優先的に、ＤＶＤメディアへのバックアップ記録候補として選び出す。ここで、視聴回数５９の代わりに、単に、ライブラリ管理情報５０の記録日時５２を参照して、古いタイトルから順番にバックアップ記録候補として選んでも良い。このようなバックアップ用タイトルの自動選択手段については、古いタイトルを自動消去する等々、既存のＨＤＤ  ＤＶＤレコーダなどで各種方法が実施されているので、ここでのさらなる説明は省略する。なお、ユーザが任意に選択した１つあるいは複数のタイトルをＤＶＤメディアにバックアップ記録する候補として選択してももちろんかまわない。
【００３２】
ＤＶＤメディアへのバックアップ記録候補として選択したタイトルについて、ライブラリ管理情報５０の記録時間５５などを参照して、当該タイトルのデータサイズ（ファイルサイズ）が大きく、ＤＶＤメディア１枚には収まらないような場合、ＤＶＤメディアの記録可能な容量に合わせて、当該タイトルをいくつかのブロックに分割してサイズを調整し、複数枚のＤＶＤメディアに分割記録するように、ＤＶＤ記録方法を設定する（ステップＳ４）。
【００３３】
図７は、本発明の一例であるＨＤＤ  ＤＶＤレコーダ１００におけるタイトルの分割概念を説明するための説明図である。ＤＶＤメディアへのバックアップ書き込みタイトルとして、タイトルＡ、タイトルＢ、タイトルＣが存在していた場合、各タイトルのファイルサイズを図３に示すライブラリ管理情報５０の保存内容(記録時間５５など)に基づいて、バックアップＤＶＤメディアとして必要な枚数を算出し、タイトルＡをバックアップＤＶＤメディア［Ｂ-０００１］に書き込んだ後、タイトルＢをバックアップＤＶＤメディア［Ｂ-０００１］の残った空き領域に書き込むために、該空き容量に対応した容量の前半部とその残りの後半部との２つに分割して、前半部をバックアップＤＶＤメディア［Ｂ-０００１］の残った空き領域に書き込み、後半部を、次のバックアップＤＶＤメディア［Ｂ-０００２］に書き込む。しかる後に、タイトルＣを、バックアップＤＶＤメディア［Ｂ-０００２］の残った空き領域に書き込んでいる例を示している。
【００３４】
データサイズの分割調整が終了すると、ＤＶＤメディアへのバックアップ書き込み動作が実行される（ステップＳ５）。このＤＶＤメディアへの書き込み動作については、図５のフローチャートを参照する形で後述する。ＤＶＤメディアへの書き込みが終了すると、ＨＤＤ２０内のライブラリ管理情報５０を更新し、図８のライブラリ管理情報５０Ａに示すように、バックアップ有無６１、バックアップメディアＩＤ６２、実データ有無６３に関する情報を記録し直す（ステップＳ６）。
【００３５】
図８は、本発明による情報記録再生装置の一例であるＨＤＤ  ＤＶＤレコーダ１００においてＨＤＤ２０内に格納されるライブラリ管理情報の更新後の一例を示すテーブルであり、図３に示すライブラリ管理情報５０においては、図示していなかったが、デフォルト値として無効情報が設定されていたバックアップ有無６１、バックアップメディアＩＤ６２、実データ有無６３に対して、ＤＶＤメディアのバックアップ動作により有効情報が設定されて更新される場合の一例を示している。すなわち、図８に示すライブラリ管理情報５０Ａにおいて、例えば、バックアップされたタイトル番号「３」のタイトル「僕らのニュースの１６:３０」については、バックアップされた旨を示す「有」を、タイトル情報のバックアップ属性としてバックアップ有無６１に設定し、バックアップしたＤＶＤメディア毎に固有のＩＤ番号「０００１」をバックアップメディアＩＤ６２に記録するとともに、当該タイトルの実データがまだＨＤＤ２０上に残っていることを実データ有無６３に「有」を設定している。
【００３６】
ユーザは、バックアップ記録されたＤＶＤメディアに対して、ライブラリ管理情報５０ＡのバックアップメディアＩＤ６２に記録されたＩＤ番号を使用することにより、バックアップＤＶＤメディアを管理すれば良い。例えば、バックアップメディアＩＤ６２のＩＤ番号を付したシールなどをバックアップＤＶＤメディアに貼ったり、また、タイトル名５３に記録した名称を記入したりすることによって管理すれば良い。
【００３７】
ライブラリ管理情報５０Ａの更新処理が終了すると、要求された全ての枚数のＤＶＤメディアに対するバックアップ書き込み動作が終了したか否かを確認し（ステップＳ７）、まだ終了していなかった場合は（ステップＳ７のＮｏ）、次のＤＶＤメディアへのバックアップ書き込みを続行するか否かを表示部１６に画面表示して問い合わせる（ステップＳ８）。続行する旨の指示が操作部１４を介してなされた場合（ステップＳ８の「続ける」の場合）、次のＤＶＤメディアのＤＶＤドライブ１９への装着を要求するメッセージを表示部１６に表示した後（ステップＳ１０）、ステップＳ３に復帰して、記録可能なＤＶＤメディアがＤＶＤドライブ１９に装着したか否かを確認する動作を繰り返す。
【００３８】
一方、一連の処理を繰り返して、所定のＤＶＤメディア枚数へのバックアップ書き込みが終了した場合（ステップＳ７のＹｅｓ）、または、まだ終了していないものの、次のＤＶＤメディアへのバックアップ書き込みを中断する旨の指示が操作部１４を介してなされた場合（ステップＳ８の「中断」の場合）、ＨＤＤ２０の空き容量を確保する目的から、ＤＶＤメディアにバックアップしたタイトルについてＨＤＤ２０内の実データを削除するか否かをユーザに問い合わせて、ユーザの指示に応じてＨＤＤ２０の空き容量を確保する処理を行う（ステップＳ９）。このＨＤＤ２０内の空き容量確保動作については、図６のフローチャートを参照する形で後述する。以上の動作を行うことによって、ユーザは、何ら複雑な操作を行うこともなく、ＨＤＤ２０内のタイトルをＤＶＤメディアへのバックアップ書き込みを実行させることができる。
【００３９】
次に、図５のＤＶＤメディア書き込みフローチャート例について説明する。本ＤＶＤディスク書き込み処理においては、タイトルが、ＤＶＤ規格による制限（例えば、解像度、音声形式、フレーム単位の編集など）によって、ＨＤＤ  ＤＶＤレコーダ１００の標準記録形式であるＤＶＤ−Ｖｉｄｅｏ形式にて記録することができないと判断した場合、自動的にＤＶＤ−ＶＲ形式を選択して記録を行うようにしている。これにより、ユーザはＤＶＤ規格による設定の相違などを何も意識する必要が無く、ＤＶＤメディアへの書き込みを行うことができる。
【００４０】
図５において、まず、図３に例示するようなライブラリ管理情報５０の音声形式５６、解像度５７、フレーム単位の編集の有無５８を参照して、バックアップ記録候補としてＤＶＤメディアに書き込もうとしているタイトルについて、ＤＶＤ−Ｖｉｄｅｏ形式で書き込むことができないタイトルが含まれているか否かを判断する（ステップＳ２１）。ＤＶＤメディアにＤＶＤ−Ｖｉｄｅｏ形式で書き込むことができないタイトルは含まれていないと判断した場合は（ステップＳ２１のＮｏ）、ＤＶＤ−Ｖｉｄｅｏ形式で書き込むこととし、ＤＶＤメディアの記録内容の消去やフォーマットが必要か否かを判定して（ステップＳ２２）、必要と判定された場合は（ステップＳ２２のＹｅｓ）、ＤＶＤ−Ｖｉｄｅｏ形式でフォーマットを行った後（ステップＳ２３）、ＤＶＤ−Ｖｉｄｅｏ形式にて、バックアップ記録候補のタイトルを順次ＤＶＤメディアに書き込んで、ＤＶＤ−Ｖｉｄｅｏ形式のＤＶＤ作成を行う（ステップＳ２４）。
【００４１】
一方、ステップＳ２１において、ＤＶＤメディアにＤＶＤ−Ｖｉｄｅｏ形式で書き込むことができないタイトルが含まれていると判断した場合は（ステップＳ２１のＹｅｓ）、前述したように、ＤＶＤ−ＶＲ形式で書き込むこととし、ＤＶＤメディアの記録内容の消去やフォーマットが必要か否かを判定して（ステップＳ２６）、必要と判定された場合は（ステップＳ２６のＹｅｓ）、ＤＶＤ−ＶＲ形式でフォーマットを行った後（ステップＳ２７）、ＤＶＤ−ＶＲ形式にて、バックアップ記録候補のタイトルを順次ＤＶＤメディアに書き込んで、ＤＶＤ−ＶＲ形式のＤＶＤ作成を行う（ステップＳ２８）。
【００４２】
全てのタイトルの書き込みが終了したら、ＤＶＤメディアに対するファイナライズ処理を行って（ステップＳ２５）、ＤＶＤメディアへの書き込み処理を終了する。なお、前述したように、タイトルのデータサイズが大きく、１枚のＤＶＤメディアに書き込むことができない場合は、該当するタイトルを複数の領域に分割して、複数枚のＤＶＤメディアに分割して書き込む動作を行っている。
【００４３】
次に、図６のＨＤＤ２０の空き容量確保フローチャート例について説明する。前述のように、ＤＶＤメディアへのバックアップに関する一連の処理を繰り返して、所定のＤＶＤメディア枚数への書き込み動作が終了した後、ＨＤＤ２０の空き容量を拡大確保することを目的にして、ＤＶＤメディアにバックアップしたタイトルについて、ＨＤＤ２０内に記録している実データを削除するか否かを問い合わせる動作を行っている。ユーザが、ＨＤＤ２０に記録されている実データの削除を選択すると、ＨＤＤ２０上の実データは削除されるが、削除を選択しなかった場合、実データはそのままＨＤＤ２０内に残される。
【００４４】
図６において、前述したように、ＤＶＤメディアにバックアップしたタイトルについて、ＨＤＤ２０内の実データを削除するか否かをユーザに確認するためのメッセージを表示部１６に画面表示する（ステップＳ３１）。表示部１６に画面表示された確認メッセージに応じて、ユーザが、ＨＤＤ２０内の実データを削除するか、そのまま残すかを、操作部１４を介して選択する。そこで、次に、ＨＤＤ２０内の実データを削除して、空き容量の拡大確保の選択がなされたか否かを判定する（ステップＳ３２）。
【００４５】
ＨＤＤ２０内の実データの削除を選択していた場合（ステップＳ３２のＹｅｓ）、図８に例示したようなライブラリ管理情報５０Ａのバップアップ済みのタイトル「僕らのニュースの１６:３０」に関する実データ有無６３の表示を「有」から「無」に書き換えるとともに、ＨＤＤ２０内の実データの格納領域を示しているアドレス情報を消去する（ステップＳ３３）。この結果、ライブラリ管理情報５０Ａは、当該タイトル「僕らのニュースの１６:３０」のバックアップ有無６１を「有」とし、バックアップメディアＩＤ６２を例えばＩＤ番号「０００１」とし、実データ有無６３を「無」として、ＨＤＤ２０上で更新された状態で保持される。これにより、今まで、当該タイトル「僕らのニュースの１６:３０」の実データが格納されていたＨＤＤ２０上の領域は空き領域とされて、他のタイトルを記録することが可能な状態になる。
【００４６】
次に、ＨＤＤ２０内に記録されているタイトルの中から、ユーザが任意に選択したタイトルを削除する場合の動作について、その一例を、図９のフローチャートに基づいて説明する。ここに、図９は、本発明の一例であるＨＤＤ  ＤＶＤレコーダ１００においてＨＤＤ２０のタイトル編集動作例として任意に指定したタイトルをＨＤＤ２０から削除する動作の一例を説明するためのフローチャートである。
【００４７】
本発明によるＨＤＤ  ＤＶＤレコーダ１００では、タイトルをＨＤＤ２０から削除する指示があった際に、誤って削除されることを防止するために、図８に例示したようなライブラリ管理情報５０Ａを参照して、指定されたタイトルに関するバックアップ有無６１、バックアップメディアＩＤ６２、実データ有無６３などのバックアップに関する情報を確認する。かかるバックアップに関する情報として、ＤＶＤメディアへのバックアップがされていない旨が設定されているタイトルについては、ユーザに対して、当該タイトルの削除を行うか否かを確認するメッセージを表示部１６に画面表示することにより、ユーザに削除の再確認し、削除の実行の再確認を得た後、ＨＤＤ２０から当該タイトルの全ての情報を削除するようにしている。
【００４８】
バックアップ属性として、バックアップ有無６１に「有」が記録されているタイトルについては、実データ有無６３が「有」の表示が記録されている場合に、指定したタイトルの実データのみの削除を選択することができる。また、ＨＤＤ２０内に実データが既に存在していないタイトルの場合などについて、ユーザが、当該タイトルに関する全てのデータを削除したい場合には、ライブラリ管理情報５０Ａの実データ有無６３が「無」が記録されているタイトルを指定して削除を指示することにより、ライブラリ管理情報５０Ａに記録されている情報も含めて、当該タイトルに関する全ての情報を削除することができる。
【００４９】
図９において、ユーザが任意に選択したタイトルを削除する旨の指示を、操作部１４を介して行うと、まず、ライブラリ管理情報５０Ａの当該編集（削除）対象タイトルに関するバックアップ有無６１を判別して（ステップＳ４１）、当該タイトルのバックアップ有無６１が「有」であった場合（ステップＳ４１のＹｅｓ）、ＤＶＤメディアにバックアップ済みのタイトルであるものとして、次に、ライブラリ管理情報５０Ａの当該タイトルに関する実データ有無６３を参照し、当該タイトルの実データがＨＤＤ２０内に残っているか否かを判定する（ステップＳ４２）。
【００５０】
当該タイトルの実データがＨＤＤ２０内に残っていなかった場合（ステップＳ４２のＮｏ）、当該タイトルに関する全ての情報を削除する完全削除を指示しているか否かを確認するメッセージを表示部１６に画面表示する（ステップＳ４７）。ユーザは、画面表示された確認メッセージに応じて、完全削除を実行するか否かを操作部１４を介して指示する。ユーザが当該タイトルの完全削除の実行を指示していた場合（ステップＳ４８の「実行」の場合）、当該タイトルに関するライブラリ管理情報５０Ａの情報を全て削除するとともに、当該タイトルに関する情報が残っている場合は、それらの情報も全て削除する（ステップＳ４９）。
【００５１】
当該タイトルの実データがＨＤＤ２０内に残っている場合（ステップＳ４２のＹｅｓ）、当該タイトルに関するＨＤＤ２０内の実データのみを削除するか、あるいは、当該タイトルに関する全ての情報を完全削除するか、のいずれを選択するかを確認するメッセージを表示部１６に画面表示する（ステップＳ４３）。ユーザは、画面表示された確認メッセージに応じて、完全削除または実データのみ削除のいずれかを、操作部１４を介して指示する。
【００５２】
ユーザからの選択が完全削除であった場合は（ステップＳ４４の「完全削除」の場合）、ステップＳ４８に移行するが、ユーザからの選択がＨＤＤ２０からの実データのみの削除であった場合（ステップＳ４４の「データ削除」の場合）、実データの削除を実行するか否かを再確認するメッセージを表示部１６に画面表示してユーザに問い合わせる（ステップＳ４５）。ユーザが操作部１４を介して実行する旨を指示してきた場合は（ステップＳ４５の「実行」の場合）、当該タイトルに関するライブラリ管理情報５０Ａの実データ有無６３を「無」に設定するとともに、ＨＤＤ２０から当該タイトルに関する実データを削除する（ステップＳ４６）。
【００５３】
一方、ステップＳ４１において、当該タイトルのバックアップ有無６１が「無」であった場合（ステップＳ４１のＮｏ）、バックアップがされていないにもかかわらず、当該タイトルに関する実データを削除するか否かを確認するメッセージを表示部１６に画面表示してユーザに問い合わせる（ステップＳ５０）。ユーザは、画面表示された確認メッセージに応じて、削除を実行するかまたは削除をキャンセルするかのいずれかを、操作部１４を介して指示する。ユーザが操作部１４を介して実行する旨を指示してきた場合は（ステップＳ５１の「実行」の場合）、ユーザが選択した当該タイトルに関するライブラリ管理情報５０Ａの実データ有無６３を「無」に設定するとともに、ＨＤＤ２０から当該タイトルに関する実データを削除する（ステップＳ５２）。
【００５４】
図１０は、本発明による情報記録再生装置の一例であるＨＤＤ  ＤＶＤレコーダ１００においてＨＤＤ２０内に格納されるライブラリ管理情報５０の更新後の図８とは異なる例を示すテーブルであり、ユーザが任意に指定したタイトル（図１０においては、タイトル「僕らのニュースの１６:３０」の場合を示している）に関する実データをＨＤＤ２０から削除した後のライブラリ管理情報５０Ｂの例を示している。図１０のライブラリ管理情報５０Ｂに示すように、タイトル「僕らのニュースの１６:３０」に関する実データをＨＤＤ２０から削除すると、ライブラリ管理情報５０Ｂの当該タイトルに関する実データ有無６３も「無」として設定される。
【００５５】
次に、ＨＤＤ２０内、および、ＤＶＤメディアに記録されている各タイトルの現在の記録状況を、表示部１６に画面表示する場合の一例について、図１１を用いて説明する。図１１は、本発明による情報記録再生装置の一例であるＨＤＤ  ＤＶＤレコーダ１００においてＨＤＤ２０およびＤＶＤメディアに記録されている各タイトルの現在の記録状況を画面表示する一例を示す表示画面である。図１１に示す例においては、タイトル１０１からタイトル１０６までの各タイトルごとのタイトルサムネイルに、現在の記録状況を示すアイコンを記録状況表示アイコンとしてさらに付した形式で画面表示する。なお、かかる記録状況表示アイコンは、図１０のようなライブラリ管理情報５０Ｂが参照されることによって作成されるものである。
【００５６】
すなわち、図１１において、○印の記録状況表示アイコンは、ＤＶＤメディアへのバックアップがされているが、ＨＤＤ２０には実データが存在していない状況にあることを示し、◎印の記録状況表示アイコンは、ＤＶＤメディアへのバックアップがされているが、ＨＤＤ２０にも実データが存在している状況にあることを示している。なお、ＤＶＤメディアへのバックアップがされている場合、当該ＤＶＤメディアをユニークに識別可能なＩＤ番号も、同時に画面表示するようにしている。ユーザは、このような記録状況表示アイコンおよびＤＶＤメディアのＩＤ番号を参照することにより、ＨＤＤ２０内のタイトルの記録状況およびＤＶＤメディアへのバックアップ状況を容易に把握することができる。
【００５７】
図１１に示す画面表示例においては、タイトル１０３、タイトル１０４の各タイトルサムネイルについて、ＤＶＤメディアへのバックアップがなされているとともに、まだ、ＨＤＤ２０上にも実データが残されている状態にあるため、◎印アイコンが付されて表示され、タイトル１０１のタイトルサムネイルについては、ＤＶＤメディアへのバックアップがなされていて、ＨＤＤ２０から実データが削除されていることを示すために、○印アイコンが付されて表示される。これらの◎印、○印の記録状況表示アイコンが付されていないタイトル１０２、タイトル１０５、タイトル１０６の各タイトルについては、まだ、ＤＶＤメディアへのバックアップがされていない状態であることを示している。
【００５８】
次に、ＤＶＤメディアへのタイトルの書き込みを行って、図１０のライブラリ管理情報５０Ｂのタイトル番号「３」のタイトル「僕らのニュースの１６:３０」に例示するように、バックアップ有無６１が「有」、実データ有無６３が「無」という記録状況にあるタイトルを再生する場合の動作の一例について、図１２を参照しながら説明する。ここに、図１２は、本発明の一例であるＨＤＤ  ＤＶＤレコーダ１００におけるタイトルの再生動作の一例を説明するためのフローチャートであり、主に、バックアップ有属性（すなわちバックアップ有無６１が「有」）で、かつ、実データ無（実データ有無６３が「無」）の状態にあるタイトルを再生する方法の一例を示している。
【００５９】
ユーザから指定されたタイトルの実データがＨＤＤ２０に残っている場合は、そのまま、表示部１６のテレビ画面に当該タイトルの実データを再生表示することができる。一方、ＨＤＤ２０には実データが残っていなく、ＤＶＤメディアにバックアップされている場合であって、当該タイトルを１枚のＤＶＤメディアにバックアップしている場合は、まず、バックアップしたＤＶＤメディアを特定するＩＤ番号を表示部１６に画面表示することにより、画面表示したＩＤ番号のＤＶＤメディアがＨＤＤ  ＤＶＤレコーダ１００のＤＶＤドライブ１９に装着されるのを待ち合わせる。
【００６０】
当該ＩＤ番号のＤＶＤメディアがＤＶＤドライブ１９に装着された後は、再生に必要なデータは全て当該ＤＶＤメディア内に収録されていることから、ＨＤＤ  ＤＶＤレコーダ１００は、ユーザが再生を指定したタイトルのデータをＤＶＤドライブ１９から適宜読み込んで、表示部１６のテレビ画面上に再生表示することができる。
【００６１】
また、ＨＤＤ２０には実データが残っていなく、ＤＶＤメディアにバックアップされている場合であって、当該タイトルを１枚ではなく複数枚のＤＶＤメディアにバックアップしている場合は、当該タイトルの再生に必要なＤＶＤメディアのＩＤ番号を表示部１６にリスト表示して、ユーザに複数枚のＤＶＤメディアを順番にＤＶＤドライブ１９へ装着することを促すメッセージを画面表示する。しかる後、画面表示したＩＤ番号のＤＶＤメディアがＤＶＤドライブ１９へ装着される都度、ＤＶＤメディアのデータをデータコピー動作によりＨＤＤ２０に書き戻す。なお、ＤＶＤメディアをＤＶＤドライブ１９に装着する順番は、記録順でなくても、どのような順序であっても構わない。
【００６２】
かかるデータコピー動作を繰り返し、最後のＤＶＤメディア１枚になった場合は、そのまま、当該ＤＶＤメディアを装着したＤＶＤドライブ１９から必要なデータを読み込むことが可能であるので、最後のＤＶＤメディアのデータについてはＨＤＤ２０内に書き戻すことをしなくても、ユーザが所望するタイトルを全て再生することができる。このように、最後のＤＶＤメディアのデータについてはＤＶＤドライブ１９から直接読み出して、表示部１６のテレビ画面に再生表示することにより、再生のためにＤＶＤメディアのデータをＨＤＤ２０に書き戻す作業時間を短縮することが可能となる。
【００６３】
なお、再生を所望するタイトルが複数枚のＤＶＤメディアにバックアップされている場合における別の再生方法として、最後のＤＶＤメディアも含めて全てのＤＶＤメディアのデータをＨＤＤ２０に書き戻して再生するようにしてももちろんかまわない。この場合、再生を所望するタイトルを、ＤＶＤドライブ１９を使用することなく再生することが可能であるので、ＤＶＤドライブ１９の動作音やレスポンスなどを一切気にすることなしに、再生することが可能である。
【００６４】
図１２において、まず、ユーザから指定されたタイトルについて、図１０に例示するようなライブラリ管理情報５０Ｂの実データ有無６３を参照して、当該タイトルの実データがＨＤＤ２０内に存在しているか否かを確認する（ステップＳ６１）。当該タイトルの実データがＨＤＤ２０内に存在している場合は（ステップＳ６１のＹｅｓ）、ＨＤＤ２０内の当該タイトルを、表示部１６のテレビ画面上に再生表示する動作を行う（ステップＳ７１）。
【００６５】
一方、再生を所望するタイトルの実データがＨＤＤ２０内に存在していなかった場合（ステップＳ６１のＮｏ）、図１０に例示するようなライブラリ管理情報５０Ｂの当該タイトルに関するバックアップメディアＩＤ６２を参照して、当該タイトルに関するデータをバックアップしている全てのＤＶＤメディアのＩＤ番号を検索する（ステップＳ６２）。次いで、検索したＩＤ番号が複数存在しているか否かに基づいて、該当するＤＶＤメディアが複数枚に及んでいるか否かを判別する（ステップＳ６３）。
【００６６】
再生に必要なＤＶＤメディアが複数枚のＤＶＤメディアに及ぶ場合には（ステップＳ６３のＹｅｓ）、図１０に例示するようなライブラリ管理情報５０Ｂの記録時間５５などを参照して、当該タイトルに関するデータをＨＤＤ２０に書き戻すために必要とするＨＤＤ２０の空き容量が十分残っているか否かをチェックする（ステップＳ６４）。十分な空き容量がＨＤＤ２０内に残っていなかった場合は（ステップＳ６４のＮｏ）、ＨＤＤ２０の空き容量が不足しているために、当該タイトルの再生を行うことができない旨のメッセージを表示部１６に画面表示して、再生処理を中止する。
【００６７】
一方、該当するＤＶＤメディアが１枚であった場合（ステップＳ６３のＮｏ）、または、該当するＤＶＤメディアが複数枚であっても、当該タイトルに関するデータをＨＤＤ２０に書き戻すためのＨＤＤ２０の空き容量が十分残っていた場合（ステップＳ６４のＹｅｓ）、当該タイトルのデータをバックアップしているＤＶＤメディアのＩＤ番号を、図１０に例示するようなライブラリ管理情報５０ＢのバックアップメディアＩＤ６２から抽出して、該ＩＤ番号を表示部１６に画面表示するとともに、ＩＤ番号に該当するＤＶＤメディアをＨＤＤ  ＤＶＤレコーダ１００のＤＶＤドライブ１９へ装着することを要求するメッセージを表示部１６に画面表示する（ステップＳ６５）。ここで、当該タイトルのデータをバックアップしているＤＶＤメディアが複数枚に及ぶ場合は、ライブラリ管理情報５０ＢのバックアップメディアＩＤ６２から該当するＩＤ番号を全て抽出して、表示部１６にリスト表示して順番にＤＶＤドライブ１９へ装着することを要求するメッセージを画面表示する。
【００６８】
次に、画面表示した順番に該当するＩＤ番号のＤＶＤメディアがＤＶＤドライブ１９に装着されるまで待ち合わせて（ステップＳ６６のＮｏ）、装着されたことを検出すると（ステップＳ６６のＹｅｓ）、装着されたＤＶＤメディアが当該タイトルのバックアップＤＶＤメディアの最後のＤＶＤメディアに該当しているか否かを判別する（ステップＳ６７）。当該タイトルのバックアップＤＶＤメディアが１枚の場合や、複数枚のうち最後のＤＶＤメディアであれば（ステップＳ６７のＹｅｓ）、ステップＳ７１に移行して、当該ＤＶＤメディアに記録されているデータを、ＨＤＤ２０にデータコピーすることなく、ＤＶＤメディアから直接読み出して、表示部１６のテレビ画面に再生表示する動作を行う。
【００６９】
一方、当該タイトルのバックアップＤＶＤメディアが複数枚であり、かつ、最後のＤＶＤメディアでなかった場合は（ステップＳ６７のＮｏ）、当該ＤＶＤメディアのデータをＨＤＤ２０の空き容量にデータコピー動作することにより書き戻した後（ステップＳ６８）、リスト表示したＩＤ番号の中から次のＤＶＤメディアのＩＤ番号を指定して、次のＤＶＤメディアをＤＶＤドライブ１９に装着することを要求するメッセージを表示部１６に画面表示し（ステップＳ６９）、ステップＳ６６に復帰する。而して、最後のＤＶＤメディアになるまで、次のＤＶＤメディアからのデータコピー動作を繰り返す。
【００７０】
以上のような、再生方法を採用することにより、ユーザは、ＨＤＤ２０に記録されているタイトルであるか、ＤＶＤメディアにバックアップされているタイトルであるかの如何によらず、極めて簡単な操作で所望のタイトルを再生することができる。また、複数枚のＤＶＤメディアに分割してバックアップされている場合であっても、表示部１６に表示されたメッセージにしたがって、ＤＶＤメディアを、順番に、ＤＶＤドライブ１９に装着する操作を行うだけという極めて簡単な操作で、複数枚のＤＶＤメディアに分割されて記録されていたタイトルをスムーズに連続的に再生することができる。さらには、複数枚のＤＶＤメディアに分割されていた場合、最後のＤＶＤメディア１枚になった後は、そのまま、最後のＤＶＤメディアを装着したＤＶＤドライブ１９から必要なデータを読み込むことが可能であるため、最後のＤＶＤメディアはＨＤＤ２０にコピーせずにユーザの所望するタイトルを再生することができるので、再生のために最後のＤＶＤメディアのデータをＨＤＤ２０に書き戻す作業時間を短縮することが可能である。
【００７１】
なお、図１２に例示した再生動作においては、複数枚のバックアップＤＶＤメディアに記録されているタイトルを再生する場合、最後の１枚のＤＶＤメディア以外はＨＤＤ２０にデータを書き戻すデータコピー動作を行う例について示したが、異なる再生動作として、次のようにしても良い。すなわち、やや煩雑な作業になるが、再生すべき順にしたがって、最初のＤＶＤメディアから順番にＤＶＤドライブ１９へ装着していくこととし、装着したＤＶＤメディアの再生動作が終了して、その次の再生順番に到達する都度、次のＤＶＤメディアと入れ替えてＤＶＤドライブ１９に装着して再生を繰り返すようにしても良い。
【００７２】
（本発明による効果）
以上に詳細に説明したように、本発明においては、ＨＤＤ２０に記録されたテレビ番組（タイトル）をＤＶＤメディアに極めて気楽かつ確実に転送することができる。また、ＤＶＤ形式やＤＶＤ−ＶＲ、ＤＶＤ−Ｖｉｄｅｏの記録形式をユーザが特に意識することもなく、ＤＶＤの作成が可能である。
【００７３】
さらに、１枚のＤＶＤメディアに収まらないような長時間のテレビ番組をＤＶＤメディアに残したい場合、ユーザによる複雑な選択操作や手順を介することなく、容易に複数枚のＤＶＤメディアにＨＤＤ上のデータを転送することができる。
【００７４】
さらに、ＨＤＤ上のタイトルを消去しても、ＤＶＤメディアにバックアップ済みのタイトルについては、ＨＤＤ上から削除していないタイトルの場合と同様のサムネイル表示をすることができ、あたかもＨＤＤ上から消去していないタイトルであるかのように一覧表示して、その記録内容を確認することができる。
【００７５】
さらには、ＤＶＤメディアにバックアップしたタイトル（番組）のデータを、たとえ、複数枚のＤＶＤメディアに及んでいる場合であっても、複雑な操作無しに、ＨＤＤに書き戻すことができ、再生することが可能である。
【００７６】
（他の実施例）
次に、本発明による情報記録再生装置の構成について、前述した図１の構成例とは異なる構成例について、図１３を用いて説明する。図１３は、本発明による情報記録再生装置の一例であるＨＤＤ  ＤＶＤレコーダの概略ブロック構成の図１とは異なる例を示すブロック構成図である。図１３に示すＨＤＤ  ＤＶＤレコーダ１００Ａの構成例において、図１のＨＤＤ  ＤＶＤレコーダ１００と同じブロックについては、同じ符号を付しており、ここでの重複する説明は省略する。図１３に示すＨＤＤ  ＤＶＤレコーダ１００Ａにおいては、システムＬＳＩ１５Ａとして、外付けの可搬型記録媒体ドライブを接続可能な外部接続インタフェースであるＵＳＢインタフェース１５ｄをさらに備えており、内蔵のＤＶＤドライブ１９のみならず、外付けのＵＳＢ  ＤＶＤドライブ１  ２２ａ、ＵＳＢＤＶＤドライブ２  ２２ｂ等をＵＳＢ ＨＵＢ２１を介して複数台接続することができる。
【００７７】
したがって、複数枚のバックアップＤＶＤメディアを複数台の外付けのＵＳＢ  ＤＶＤドライブ１  ２２ａ、ＵＳＢＤＶＤドライブ２  ２２ｂそれぞれに装着することによって、各ＤＶＤドライブから再生に必要なデータを適宜読み取ることができる。而して、複数枚のバックアップＤＶＤメディアに記録されているタイトルの再生時においても、前述した実施例とは異なり、ＨＤＤ２０に順次データを転送するデータコピー動作を行う必要はなく、複数枚のＤＶＤメディアにバックアップされているタイトルを、複数台のＤＶＤドライブから適宜読み出して再生することができ、再生に要する時間を短縮することができる。
【００７８】
なお、図１３に示すＨＤＤ  ＤＶＤレコーダ１００Ａでは、内蔵のＤＶＤドライブ１９が存在している場合を示しているが、ＤＶＤドライブ１９を内蔵しないで、ＤＶＤドライブとしては、外付けのＵＳＢ  ＤＶＤドライブ１  ２２ａ、ＵＳＢＤＶＤドライブ２  ２２ｂ等のみによって構成する形態であっても、もちろん構わない。また、システムＬＳＩ１５Ａに外付けメディアへのアクセス用として備えるインタフェースは、このようなＵＳＢインタフェース１５ｄに限るものではなく、インタフェース回路やドライバソフト次第で、ＬＡＮインタフェースなど各種のものを備えるようにしても良い。また、ＣＰＲＭ（Content Protection for Recordable Media）等の制限のため、ＤＶＤメディアからＨＤＤ２０へのデータの書き戻しができないようなソースを利用している場合であっても、本発明のようなＨＤＤ  ＤＶＤレコーダ１００Ｂ上においては有効である。
【００７９】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることは、当業者には容易に理解できよう。
【符号の説明】
【００８０】
１１        アンテナ
１２        テレビチューナ
１３        ビデオＡＤコンバータ
１４        操作部
１５        システムＬＳＩ
１５Ａ      システムＬＳＩ
１５ａ      ＣＰＵ
１５ｂ      ＭＰＥＧエンコーダ・ＭＰＥＧデコーダ
１５ｃ      ＡＴＡＰＩインタフェース
１５ｄ      ＵＳＢインタフェース
１６        表示部
１７        オーディオＤＡコンバータ
１８        ビデオエンコーダ
１９        ＤＶＤ
２０        ＨＤＤ
２１        ＵＳＢ
ＨＵＢ
２２ａ      ＵＳＢ
ＤＶＤドライブ１
２２ｂ      ＵＳＢ
ＤＶＤドライブ２
５０        ライブラリ管理情報
５０Ａ      ライブラリ管理情報
５０Ｂ      ライブラリ管理情報
５１        タイトル番号
５２        記録日時
５３        タイトル名
５４        記録元チャンネル
５５        記録時間
５６        音声形式
５７        解像度
５８        フレーム単位の編集の有無
５９        視聴回数
６１        バックアップ有無
６２        バックアップメディアＩＤ
６３        実データ有無
１００      ＨＤＤ  ＤＶＤレコーダ
１００Ａ    ＨＤＤ  ＤＶＤレコーダ
１００Ｂ    ＨＤＤ  ＤＶＤレコーダ
【図１】
0005556828.tif 000002
【図２】
0005556828.tif 000003
【図３】
0005556828.tif 000004
【図４】
0005556828.tif 000005
【図５】
0005556828.tif 000006
【図６】
0005556828.tif 000007
【図７】
0005556828.tif 000008
【図８】
0005556828.tif 000009
【図９】
0005556828.tif 000010
【図１０】
0005556828.tif 000011
【図１１】
0005556828.tif 000012
【図１２】
0005556828.tif 000013
【図１３】
0005556828.tif 000014